(57)【要約】【課題】  提げ手のない袋や持ち帰り商品の箱などに貼り付けて提げ手とすることのできる提げ手シールの提供。【解決手段】  提げ手のない持ち運び対象物に貼り付けて提げ手とする提げ手シール２は、貼付面となる粘着剤９を備えた粘着シート３と、粘着シート３に所定間隔離れて貼り付けられる広幅の取付部７と、各取付部７間を連結する細手の取手部８と、前記粘着シート３の取手部側に沿って逆Ｔ字型の切れ目５を形成し、この切れ目５に沿って折り返し片５Ａ，５Ｂの粘着剤９同士で取付部７と貼り合わせることにより、取付部７が粘着シート３から剥がれにくくなり、たとえ剥がれても、すぐには取手部７が粘着シート３から離れない構造とした。【選択図】        図４
2005335754.tif 000002
【特許請求の範囲】
【請求項１】
提げ手のない持ち運び対象物に貼り付けて提げ手とする提げ手シールにおいて、前記対象物への貼付面となる粘着部を備えた粘着シートと、前記粘着部に所定間隔離れて貼り付けられる広幅の取付部と、前記各取付部間を連結して前記粘着シートの外側へと湾曲する細手の取手部と、前記粘着シートの取手部側の辺に沿って切れ目を形成し、この切れ目に沿って一部を折り返して粘着部同士で取付部と貼り合わせることにより、取付部が粘着シートから剥がれにくくなり、たとえ取付部が粘着シートから剥がれても、すぐには取手部が粘着シートから離れない構造としたことを特徴とする提げ手シール。
【発明の詳細な説明】
【技術分野】
【０００１】
本発明は提げ手のない袋や持ち帰り商品の箱などに貼り付けて提げ手とすることのできる提げ手シールに関する。
【背景技術】
【０００２】
従来、提げ手のない持ち帰り商品の箱などに提げ手を取り付けるには、対象物に紐を掛けて、この紐に取り付けるように下端がフック状となった提げ手が知られている。
また、箱入り缶ビールや粉末洗濯洗剤等のように、予め折りたたみ式の提げ手を箱と一体形成したもの、特許文献１に示すように提げ手部分が紙袋に接着して形成された手提げ袋などがある。
【特許文献１】特開２０００−１４２７１９号公報
【発明の開示】
【発明が解決しようとする課題】
【０００３】
しかしながら、商品に紐を掛けて縛るには、結束機など大掛かりな装置を用いるか、人が手作業しなげればならず、手間が掛かるという問題があった。
一方、箱に予め提げ手を一体形成しておくのは、提げ手を使用しない場合にコスト高となる欠点があり、既製の紙袋では大きさが合わないことがあるという問題もあった。
【０００４】
本発明は上記従来技術の問題に鑑みなされたもので、必要に応じて提げ手の無い持ち帰り商品の容器や包装に直接貼り付けて提げ手とすることができる提げ手シールを提供することを目的としている。
【課題を解決するための手段】
【０００５】
上記課題を解決するために、本発明が採用する構成の特徴は、対象物への貼付面となる粘着部を備えた粘着シートと、前記粘着部に所定間隔離れて貼り付けられる広幅の取付部と、前記各取付部間を連結して前記粘着シートの外側へと湾曲する細手の取手部と、前記粘着シートの取手部側の辺に沿って切れ目を形成し、この切れ目に沿って一部を折り返して粘着部同士で取付部を貼り合わせることにより、取付部が粘着シートから剥がれにくくなり、たとえ取付部が粘着シートから剥がれても、すぐには取手部が粘着シートから離れない構造としたことにある。
【０００６】
上記構成によれば、広幅の取付部で接着面積を確保して取手部を粘着シートに接着するのと同時に、粘着シートを対象物の表面に接着して提げ手と一体化させることができ、さらに、粘着シートの一部を切れ目に沿って折り返して粘着部同士を貼り合わせると、取手部の先で取付部が広幅となるので、取付部の接着面積が増大し、または、粘着部同士の貼り合わせ部が筒状となり、取付部が抜けにくくなる。
【発明の効果】
【０００７】
本発明によれば、対象物に粘着シートを貼り付けるだけで提げ手を形成できるので、入れ物がなくても商品などを容易に持ち帰りできる。また、対象物の大きさが有る程度自由にでき、省資源である。
さらに、粘着シートの一部を折り返して粘着部同士で取手部を挟んで離れにくく接着する構造としたため、接着の剥がれにより不意に取手部が取れて対象物を落とす危険性を減少できる。
【発明を実施するための最良の形態】
【０００８】
以下に本発明の好ましい実施の形態を図１ないし図８を参照して説明する。
【０００９】
１は手に提げて運ぶのに適した重さと大きさの範囲にある持ち運び対象物であり、例えばみやげ品や洗濯用粉末洗剤、小型電化製品などの段ボール箱、書類や書籍の包みなどである。なお、本発明の提げ手シールは貼り付け対象物やその形状を問わず、対象物としては前記多面体以外に、例えば封筒や袋、缶や巻物などでもよい。
【００１０】
２は本実施の形態による提げ手シールであり、前記対象物１の対向する両側面にそれぞれ１個ずつ貼付されている。図２は該提げ手シール２の構成を示す説明図、図３ないし図５はその使用方法の説明図である。
【００１１】
提げ手シール２は粘着シート３、取手部材６とから大略構成され、前記粘着シート３は引張強度の強い例えばポリエステル製基材の片面に強粘着性の粘着剤９（図３参照）が塗布されたタックフィルム等が好適に用いられる。
【００１２】
４は表面にシリコーン樹脂などの剥離剤層が形成された剥離台紙で、前記粘着シート３は該剥離台紙４上に粘着剤９側の面を合わせて剥離可能な状態で貼付（仮着）されている。
【００１３】
５は前記粘着シート３の上側辺に沿って形成された逆Ｔ字型の切れ目であり、該切れ目５により、粘着シート３の上側辺は中央から折り返し片５Ａ，５Ｂに分離されている。
【００１４】
６は取手部材であり、該取手部材６は引っ張り強度と前記粘着シート３の粘着剤９との接着性に優れた例えば塩化ビニル、ポリエチレン、ポリプロピレン、ポリエステル等の合成樹脂により形成されている。該取手部材６の両端側は、平円板状に膨らんだ取付部７が形成され、各取付部７の間を平紐状の取手部８が連結して、該取手部８は前記取付部７よりも細手に形成されている。
【００１５】
前記取手部材６は各取付部７を前記粘着シート３の切れ目５を挟んだ対称位置に貼付け、取手部８を粘着シート３の上側辺から外側へ逆Ｕ字状に湾曲突出させた状態で粘着シート３と剥離台紙４の間に介挿されている。
【００１６】
尚、本実施の形態では、取手部材６が予め粘着シート３に貼付され剥離台紙４と一体化されている場合を例に説明するが、本発明はこれに限るものでなく、取手部材６は粘着シート３とは別体で、対象物１に貼付ける際に一体化するものでもよい。
【００１７】
次に、前記提げ手シール２の使用方法について図３ないし図５を用いて説明する。
まず、図３に示す如く、粘着シート３裏面の粘着剤９側から剥離台紙４を分離する。この際、粘着シート３の切れ目５から粘着シート３を破いたり、各折り返し片５Ａ，５Ｂが丸まらないように注意して行う。
【００１８】
次いで、図４、図５のように、切れ目５に沿って折り返し片５Ａ，５Ｂを中央より外側に折り返して接着剤層９同士を貼り合わせる。ここで、取手部材６の取付部７と取手部８の中間部を間に挟み込むようにして接着する。
【００１９】
そして、以上の提げ手シール２を図１のように、対象物１に貼り付ける。
かくして、対象物１に粘着シート３を貼り付けるだけで提げ手を形成でき、入れ物がなくても商品などを手で容易に持ち帰りできる形にできる。
ここで、取手部７は粘着シート３を介して対象物１に接着されるだけであるが、粘着シート３の各折り返し片５Ａ，５Ｂを折り返して取付部７と取手部８の中間部分を挟み込んで接着の強度が増し一段と剥がれにくくなる。
さらに、各取付部７にひねり（ねじり）方向の力が加わり不意に対象物１との接着が剥がれるようなことがあっても、取付部７が円板状に膨らんでおり、その上部で粘着シート３の折り返し片５Ａ，５Ｂが取手部８を筒状に覆うことにより取手部材６から対象物１が直ちに外れて落下する危険性を大幅に減少できる、という優れた効果を奏する。
【００２０】
なお、本発明は上述した実施の形態に限定されることなく、特許請求の範囲に記載した発明の技術的思想内で種々の変形が可能である。図６ないし図８はその一例であり、図６は粘着シート３に追加の切れ目１０を形成して折り返し片１０Ａ，１０Ｂを追加形成した例、図７は切れ目５に代えて切れ目１０を設けた例である。また、図８は剥離台紙４側に加工を施した例であり、剥離台紙４の中央に縦方向の背割り（切断線）を形成したものである。これにより、剥離台紙４を四隅からだけでなく、中央側からもめくることができ、上記折り返し片５Ａ，５Ｂ，１０Ａ，１０Ｂが丸まったりしないように上手に剥離できる。
【図面の簡単な説明】
【００２１】
【図１】実施の形態を示す提げ手シールの貼付使用例説明図である。
【図２】図１の提げ手シールの貼付前の構造説明図である。
【図３】図１の提げ手シール使用方法の説明図である。
【図４】図３の次の状態を示す提げ手シールの使用方法説明図である。
【図５】図３の次の状態を示す提げ手シールの使用方法説明図である。
【図６】実施の形態に係る提げ手シールの変形例である。
【図７】実施の形態に係る提げ手シールの変形例である。
【図８】実施の形態に係る提げ手シールの変形例である。
【符号の説明】
【００２２】
１…対象物（荷物）、２…提げ手シール、３…粘着シート、４…剥離台紙、５，１０…切れ目、５Ａ，５Ｂ，１０Ａ，１０Ｂ…折り返し片、６…取手部材、７…取付部、８…取手部、９…粘着剤、１１…背割り（切断線）
【図１】
2005335754.tif 000003
【図２】
2005335754.tif 000004
【図３】
2005335754.tif 000005
【図４】
2005335754.tif 000006
【図５】
2005335754.tif 000007
【図６】
2005335754.tif 000008
【図７】
2005335754.tif 000009
【図８】
2005335754.tif 000010